(57)【要約】外科用糸のための切断装置（１００）であって、長手方向軸（１２０ａ）に沿って延びる管状形状を有するガイド本体（１２０）であって、外科用糸を受け入れるように適合されたハウジング部分（１２１）を規定する内部軸方向空洞（１２９）を有し、当該ガイド本体（１２０）は、外科用糸の挿入を可能にするために少なくとも部分的に開いている第１の端部（１２０’）であって、当接表面（１２２’）によって規定された第１の切断領域（１２２）を有する第１の端部（１２０’）を備える、ガイド本体（１２０）と、長手方向軸（２３０ａ）に沿って延在し且つハウジング部分（１２１）に挿入されるように適合された中央部分（２３１）を含む切断本体（２３０）であって、中央部分（２３１）は、ハウジング部分（１２１）に結合されたときに、外科用糸を収容するための、長手方向軸（１２０ａ）に平行に延びる通路チャネル（３００）を規定するような、長手方向軸（２３０ａ）を横切る断面を有し、当該切断本体（２３０）は、当接表面（２３２’）によって規定された第２の切断領域（２３２）を備えた第１の端部（２３０’）を備え、当該切断本体（２３０）がハウジング領域（１２１）に受け入れられたときに、第２の切断領域（２３２）が第１の切断領域（１２２）に隣接する、切断本体（２３０）と、第１の位置と第２の位置との間で、切断本体（２３０）をガイド本体（１２０）に対して長手方向展開軸（２３０ａ）の周りで回転させることができるアクチュエータ要素（２３３）であって、第１の位置では、第１の切断領域（１２２）および第２の切断領域（２３２）の当接表面（１２２’、２３２’）がそれぞれ、ハウジング領域（１２１）および切断領域（２３０）の第１の端部（１２０’、２３０’）にそれぞれ、内部軸方向空洞（１２９）と連通する通路（２３５）を特定するように、互いに対して配置されており、第２の位置では、通路（２３５）は、当接表面（１２２’、２３２’）の間の外科用糸を切断するように、接線方向に交差する当接表面（１２２’、２３２’）の逆回転運動によって少なくとも部分的に閉塞している、アクチュエータ要素（２３３）と、を備える切断装置（１００）。
2021531892.tif 000002
【特許請求の範囲】
【請求項１】
外科用糸のための切断装置（１００）であって、
長手方向軸（１２０ａ）に沿って延びる管状形状を有するガイド本体（１２０）であって、外科用糸を受け入れるように適合されたハウジング部分（１２１）を規定する内部軸方向空洞（１２９）を有し、当該ガイド本体（１２０）は、前記外科用糸の挿入を可能にするために少なくとも部分的に開いている第１の端部（１２０’）であって、当該ガイド本体（１２０）の前記長手方向展開軸（１２０ａ）に対して横断するように方向付けられた当接表面（１２２’）によって規定された第１の切断領域（１２２）を有する第１の端部（１２０’）を備える、ガイド本体（１２０）と、
長手方向軸（２３０ａ）に沿って延在し且つ前記ハウジング部分（１２１）に挿入されるように適合された中央部分（２３１）を含む切断本体（２３０）であって、前記中央部分（２３１）は、前記ハウジング部分（１２１）に結合されたときに、前記外科用糸を収容するための、前記長手方向軸（１２０ａ）に平行に延びる通路チャネル（３００）を規定するような、前記長手方向軸（２３０ａ）を横断する断面を有し、当該切断本体（２３０）は、当該切断本体（２３０）の前記長手方向展開軸（２３０ａ）に対して横断するように方向付けられた当接表面（２３２’）によって規定された第２の切断領域（２３２）を備えた第１の端部（２３０’）を備え、当該切断本体（２３０）が少なくとも部分的に前記ハウジング領域（１２１）に受け入れられたときに、前記第２の切断領域（２３２）が前記第１の切断領域（１２２）に隣接し、前記当接表面（２３２’）は、前記外科用糸のハウジング区域を規定するために１５０°から１７０°の間に含まれる角度を有する、切断本体（２３０）と、
第１の位置と第２の位置との間で、前記切断本体（２３０）を前記ガイド本体（１２０）に対して前記長手方向展開軸（２３０ａ）の周りで回転させることができるアクチュエータ要素（２３３）であって、前記第１の位置では、前記第１の切断領域（１２２）および前記第２の切断領域（２３２）の前記当接表面（１２２’、２３２’）がそれぞれ、前記ハウジング領域（１２１）および前記切断領域（２３０）の前記第１の端部（１２０’、２３０’）にそれぞれ、前記内部軸方向空洞（１２９）と連通する通路（２３５）を特定するように、互いに対して配置されており、前記第２の位置では、前記通路（２３５）は、前記当接表面（１２２’、２３２’）の間の前記外科用糸を切断するように、接線方向に交差する前記当接表面（１２２’、２３２’）の逆回転運動によって少なくとも部分的に閉塞している、アクチュエータ要素（２３３）と、を備える切断装置（１００）。
【請求項２】
前記ガイド本体（１２０）は、前記第１の端部（１２０’）と軸方向に反対であり且つ前記外科用糸の出口のための開口部（１）を有する第２の端部（１２０’’）を有する、請求項１に記載の外科用糸のための切断装置（１００）。
【請求項３】
前記切断本体（２３０）は、前記第１の端部（２３０’）と軸方向に反対であり且つ前記外科用糸の出口のための開口部（２３７）を有する第２の端部（２３０’’）を有する、請求項１に記載の外科用糸のための切断装置（１００）。
【請求項４】
前記ガイド本体（１２０）が、前記ガイド本体（１２０）を把持することを可能にする把持領域（１２３）を有する、請求項１に記載の外科用糸のための切断装置（１００）。
【請求項５】
前記アクチュエータ要素（２３３）が前記切断本体（２３０）に接続されている、請求項１に記載の外科用糸のための切断装置（１００）。
【請求項６】
前記ガイド本体（１２０）は、前記ガイド本体（１２０）と前記切断本体（２３０）との間に軸方向の安定した接続を提供するように適合された結合領域（１２５）を有する、請求項１から５の１または複数に記載の外科用糸のための切断装置（１００）。
【請求項７】
前記結合領域（１２５）が、前記切断本体（２３０）と前記ガイド本体（１２０）との間の相対的な回転、正確且つ安定した相対的な軸方向の位置決め、および相互係合を可能にするように、前記ガイド本体（１２０）の前記第２の端部（１２０’’）に形成され且つ前記切断本体（２３０）の前記第２の端部（２３０’’）に設けられた対応する半径方向の突起（２３６）を受け入れるように適合された環状溝（１２６）を含む、請求項６に記載の外科用糸のための切断装置（１００）。
【請求項８】
前記ガイド本体（１２０）は、前記突起（２３６）を前記溝（１２６）に挿入するためのノッチ（１２８）を前記第２の端部に有する、請求項７に記載の外科用糸のための切断装置（１００）。
【請求項９】
前記ガイド本体（１２０）の前記第１の切断領域（１２２）が、前記ガイド本体（１２０）の前記長手方向軸（１２０ａ）を横断する基部を持つ実質的に半円筒形の構造を有し、前記当接表面（１２２’）は１５０°から１８０°の間の角度を持つ、請求項１から８のいずれか１項に記載の切断装置（１００）。
【請求項１０】
前記切断本体（２３０）が実質的に半円形の断面を有する、請求項１から９のいずれか１項に記載の切断装置（１００）。
【請求項１１】
前記アクチュエータ要素（２３３）は、前記ガイド本体（１２０）の前記ハンドグリップ（１２３）に設けられたロック要素（１２７）をその中に受け入れるように適合された空洞（２３４）を有し、その結果、前記ロック要素（１２７）が前記空洞（２３４）に係合する場合に、前記アクチュエータ要素（２３３）および前記ハンドグリップ（１２３）が位置合わせされ、前記ガイド本体（１２０）および前記切断本体（２３０）を前記第１の位置に強制する、請求項４に記載の外科用糸のための切断装置（１００）。
【請求項１２】
前記ロック要素（１２７）が弾性当接部を有する、請求項１１に記載の外科用糸のための切断装置（１００）。
【請求項１３】
請求項１から１２に記載の切断装置（１００）を用いて外科用糸を切断する方法であって、
ガイド本体（１２０）内に切断本体を挿入するステップと、
前記ガイド本体（１２０）の軸方向空洞（１２９）内に外科用糸を挿入するステップと、
所望の切断長さを選択するように、前記外科用糸に沿って前記切断装置（１００）を並進させるステップと、
前記切断本体（２３０）を前記ガイド本体（１２０）に対して前記第１の位置から前記第２の位置に移動させるように前記アクチュエータ要素（２３３）を操作するステップと、
前記糸を切断するステップと、を含む方法。
【請求項１４】
前記アクチュエータ要素（２３３）を操作する前記ステップが、前記ハンドグリップ（１２３）に対する前記アクチュエータ要素（２３３）の回転を含み、前記回転が、前記第１の切断領域（１２２）の前記当接表面（１２２’）を前記第２の切断領域（２３２）の前記当接表面（２３２’）と交差させるために、前記第２の切断領域（２３２）に伝達される、請求項１１に記載の外科用糸を切断する方法。
【発明の詳細な説明】
【技術分野】
【０００１】
本発明は、外科手術中に操作ワイヤを切断するためのツールに関する。
【背景技術】
【０００２】
外科手術中に操作ワイヤを使用することが知られている。外科用ワイヤが使用される必要性に応じて、それらは、例えば、異なる剛性度合い、異なる材料、異なる直径など、異なる構造的特徴を有することになる。
【０００３】
外科用糸の第１の例は、縫合糸、すなわち、患者の身体内または身体上の傷を閉じるために使用される糸である。外科用糸の第２の例は、セルクラージュワイヤ（cerclage wire）であり、これを介して、互いに合わない骨片を結合することが可能である。
【０００４】
外科手術中に外科医が使用する種々のタイプの外科用糸を切断するための様々な装置が知られている。各装置は、使用される糸の特定の特徴によって課せられる切断要件を満たすように最適化されている。
【０００５】
外科手術中に患者の身体構造の２つ以上の部分を結合するために外科用糸を使用する必要がある場合、例えば、患者の身体内の傷を閉じるために、または骨片を結合するために、そのような必要がある場合、進行中の手術に適したタイプの外科用糸が使用される。患者の身体内の傷を閉じる典型的なケースでは、外科用糸は、一方の側および次に他方の側に対して交互に、閉じる必要のある傷を取り囲む患者の軟組織に通される。次に、縫合糸が伸ばされて傷の端を互いにより近づけ、全てが特別な結び目を介して固定される。結び目を結んだ後、ある長さのワイヤが結び目の外側に残ることが知られている。したがって、結び目の外側に突出している糸の端を切断して、傷の完全な治癒を損なう、縫合糸への意図しない悪影響を回避する必要がある。
【０００６】
他方、解剖学的構造が正しく必要とするように骨構造が密接していないように見えるケースでは、非密接部分は、先行技術においてセルクラージュワイヤとして知られている外科用ワイヤを使用して主構造に結合され得る。
【０００７】
セルクラージュワイヤの使用は、例えば、大腿骨の骨折が大腿骨構造に関して大腿骨の一部の密接の欠如につながる場合に必要である。この場合、外科医は、骨の再生および２つの骨片の固定を促進し、したがって、骨折を治癒するために、大腿骨の２つの部分を金属ワイヤであるセルクラージュワイヤで結合し、それらを互いに締める。骨の２つの部分が必要に応じて配置されると、外科医は、例えば結び目で、セルクラージュワイヤの両端を結合する。縫合糸に関して上で説明したように、そして一般的な経験から知られているように、このようにして結ばれた結び目は、除去されなければならない、結び目から突出しているワイヤ端を有する。
【０００８】
従来技術は、この目的のために外科医が例えばワイヤカッタなどの切断ツールを使用することを含む。これらのツールは、患者の身体に、結び目にできるだけ近く挿入され、結び目から突出しているワイヤ端が切断される。
【０００９】
一方、縫合糸を切るためには、結び目から突出したままの糸の量を最小限に抑えるために、患者の組織にできるだけ近づくように形作られた外科用はさみが使用される。
【００１０】
低侵襲手術の規定によれば、回復を早めるために、これらの外科手術中に患者に可能な限り最小の切開を行う傾向がある。したがって、外科医が患者の身体内を安全に手術できることを保証しながら、同時に、外科用ツールのサイズを最小限に抑える必要があることは明らかである。
【００１１】
したがって、当業者には、上記の既知のツールの典型的な形状には、本発明が解決することを意図している欠点があることがすぐに理解できる。実際に、一般的なツールの構造は、支点で互いにヒンジで固定され且つハンドグリップによって制御される場合に互いに対して近づいたり遠ざかったりすることができる２つのブレードに基づいている。これらの既知の手段を使用して糸を切るために、互いに接触してはならないブレード間に糸を集める必要がある。言い換えれば、切断する前に糸を収容するスペースが２つのブレード間になければならない。これにより、切断ツールが使用構成にない場合、切断ツールの全体的なサイズが大きくなる。さらに、一般的なツールは、外科医がスムーズに切断できるように十分な大きさの切断面を提供するために、２つのブレードがかなりの特徴的なサイズを有することを必要とする。これは、血液および他の体液が外科医の手術の視界を制限し得る手術部位の状態のような、視界不良の状態において特に当てはまる。既知の切断装置の設置ステップ中に外科医を組織に損傷を与えるリスクにさらすだけでなく、制限された視界は、切断ステップおよび切断ステップの直後のステップ中、並びに患者の体からツールを取り外すステップ中に、外科医が組織に損傷を与えるリスクを高めることを促す。
【００１２】
先行技術の別の欠点は、患者の組織の近くに鋭利な物体が存在することであり、これは、外科医が周囲の組織に損傷を与えないように細心の注意を払って手術することを必要とする。これにより、外科手術に必要な時間とそれに関連する外科医のストレスが増加する。
【００１３】
別の欠点は、手術部位内のブレードの位置の選択である。実際、この手術は、患者の体内の結び目の位置を特定することを含み、ここで、体液がしばしば視界を低下させる。この視界の低下により、ブレードを正しく配置するために、触覚を使用して続行することがしばしば必要である。
【発明の概要】
【００１４】
本発明の目的は、上記の従来技術の欠点を克服する、外科用糸のための切断装置を提示することである。
【００１５】
本発明の目的の１つは、実際、低侵襲であり且つ周囲の軟組織に損傷を与えることなく完全に安全な切断を患者に保証する、外科用糸のための切断装置を提供することである。
【００１６】
さらに、本発明の目的は、外科医が使用しやすく且つ手術部位が外科医に良好な視界を許容しないという事実にもかかわらず、迅速且つ安全な切断を可能にする、外科用糸の切断装置を提供することである。
【００１７】
これらおよび他の目的は、添付の特許請求の範囲の請求項の１つまたは複数に記載されるように、外科用糸のための切断装置によって、および前記装置を用いた外科用糸のための切断方法によって広く達成される。
【００１８】
追加の特徴および利点は、本発明による、外科用糸のための切断装置の好ましいが排他的ではない実施形態の詳細な説明からより明らかになるであろう。
【００１９】
追加の有利な特徴は、従属請求項に記載されている。
【図面の簡単な説明】
【００２０】
次に、本発明は、単に例として提供される添付の図面を参照して、より詳細に説明される。
【図１】断面構成における本発明による切断装置を示す。
【図２】本発明の主題である切断装置の第１の部分の正面斜視図である。
【図３】図２に示される、本発明の主題である切断装置の第１の部分の背面斜視図である。
【図４】図２および３の切断装置の第１の部分の側面断面図である。
【図５】本発明の主題である切断装置の第２の部分の正面斜視図である。
【図６】図５に示される、本発明の主題である切断装置の第２の部分の背面斜視図である。
【図７】図５および６の切断装置の第２の部分の側面斜視図である。
【図８】本発明の主題である切断装置の組み立てステップを示す。
【図９】切断装置が使用される手術ステップを示す。
【図１０】第１の動作位置を示す。
【発明を実施するための形態】
【００２１】
上記の図において、番号１００は、本発明による外科用糸のための切断装置を全体として示す。
【００２２】
示される例では、装置１００は、縫合糸、セルクラージュワイヤなどの任意の種類の外科用糸が使用される外科手術中の使用に適している。
【００２３】
本明細書では、「近位」および「遠位」という用語は、患者に対する要素の位置に関連して使用される。
【００２４】
外科用糸のための切断装置は、ガイド本体１２０を備え、ガイド本体１２０は、長手方向軸１２０ａに沿って延在する管状のハウジング部分１２１を有し、管状のハウジング部分１２１は、内部に外科用糸を受け入れるように適合された軸方向空洞１２９を備える。
【００２５】
ガイド本体１２０、特にハウジング部分１２１は、外科用糸の挿入を可能にするために少なくとも部分的に開いている第１の端部１２０’と、第１の端部１２０’と軸方向に反対側の、空いている第２の端部１２０’’とを備える。
【００２６】
より具体的には、ハウジング部分１２１は貫通軸方向空洞１２９を有する円筒形を有し、貫通軸方向空洞１２９は、ハウジング部分１２１の長手方向の全展開に沿って延在し且つ端部１２０’および１２０’’に、軸方向空洞１２９を外部環境と流体連通している状態に置くことができる開口部１２４および１３０をそれぞれ有する。
【００２７】
既に述べたように、本明細書では、「近位」および「遠位」という用語は、患者に対する要素の位置に関連して使用される。
【００２８】
これに基づいて、開口部１２４を近位開口部として規定し、開口部１３０を遠位開口部として規定することが可能である。
【００２９】
したがって、主の展開方向Ｙを特定することが可能であり、主の展開方向Ｙに沿ってハウジング部分１２１が展開する。
【００３０】
ガイド本体１２０は、ハウジング部分１２１の長手方向展開軸１２０ａに平行に方向付けられた当接表面１２２’によって規定される第１の切断領域１２２を有する。
【００３１】
具体的には、ガイド本体１２０の第１の切断領域１２２は、その基部１２２ａがハウジング部分１２１の長手方向軸１２０ａを横断するように、実質的に半円筒形の形状を有する。当接表面１２２’は、軸方向空洞１２９内に部分的に延在し且つ近位開口部１２４を部分的に塞ぐ肩の形状をとる。
【００３２】
この構成は、外科用糸の結び目を収容し且つ手術部位の軟組織から切断領域を離すのに適した領域を生成することを可能にし、軟組織が切断領域に干渉するのを防ぐ。
【００３３】
好ましい実施形態では、第１の切断領域は、遠位開口部１２４の約半分を塞ぐのに十分な大きさである。言い換えれば、当接表面１２２’は平坦であり、あるいは、１５０°と１７０°との間の角度を形成するように互いに向かって傾斜した２つの面を有する。この第１の切断領域は、本物のブレードではなく、軸方向空洞１２９内の当接表面１２２’の端に鋭いエッジを有する。本発明の主題である切断装置１００はまた、切断本体２３０を含み、切断本体２３０は、長手方向軸２３０ａに沿った主の展開方向Ｘに沿って延びる細長い中央部分２３１を含む。切断本体２３０の中央部分２３１は、ガイド本体１２０のハウジング部分１２１への挿入に適している。
【００３４】
中央部分２３１は、ハウジング部分１２１の軸方向空洞１２９の内側に結合および挿入されると、外科用糸のハウジングのための、長手方向軸１２０ａに平行に延びる通路チャネル３００を規定するように、長手方向軸２３０ａに断面を有する。
【００３５】
切断本体２３０は第１の端部２３０’を備え、第１の端部２３０’は、切断本体２３０の長手方向展開軸２３０ａに平行に方向付けられた当接表面２３２’によって規定される第２の切断領域２３２を備える。
【００３６】
切断本体２３０はまた、第１の端部２３０’と軸方向に反対側の第２の端部２３０’’を有し、第２の端部２３０’’は外科用糸の出口のための開口部２３７を有する。
【００３７】
中央部分２３１は、様々な幾何学的配置を有する断面を有し得る。すなわち、平面、十字形、半円形、扇形、または完全に円形の断面を有さない任意の他の幾何学的形状を有する断面である。なぜなら、それは、上記のように、長手方向展開軸２３０ａに平行に延びる当接表面２３２’を規定しなければならず、当接表面２３２’は、以下に説明するように、外科用糸を切断できるようにガイド本体１２０の当接表面１２２’と相互作用できる。
【００３８】
第１の端部２３０’の近くに配置された当接表面２３２’の外側エッジは、鋭利であってもよいし、または、鋭利ではないが、当接表面１２２’の切断エッジと干渉することにより、２つの表面の間にある外科用糸の切断を生じさせる切断エッジを有してもよい。
【００３９】
単に例としてここに示される好ましい実施形態では、切断本体２３０は好ましくは半円形である断面を有し、当該断面は、非平面の当接表面２３２’を有し、当接表面２３２’は、１５０°から１８０°（排他的）の間、好ましくは１５０°から１７０°の間の角度を形成するように互いに向かって傾斜した２つの面を有する。換言すれば、中央部分２３１は、扇形であってその角度が９０度を超える扇形の形をとる断面を有する細長い形状を有する。中央部分２３１は、くぼみまたはＶのような形状の表面２４０を有する。このようにして、外科用糸は、通路チャネル３００内に挿入されると、切断装置１００の内部に安定して案内され且つ切断動作中に静止したままとなるように、この表面のくぼみ２４０に受け入れられる。切断本体２３０がハウジング部分１２１に少なくとも部分的に受け入れられる場合、第２の切断領域２３２は、第１の切断領域１２２に隣接する。
【００４０】
切断装置１００はまた、アクチュエータ要素２３３を備え、アクチュエータ要素２３３は、第１の位置と第２の位置との間で、切断本体２３０をガイド本体１２０に対して長手方向展開軸２３０ａの周りで回転させることができ、第１の位置では、第１の切断領域１２２および第２の切断領域２３２の当接表面１２２’、２３２’がそれぞれ、ガイド本体１２０および切断本体２３０の第１の端部１２０’、２３０’にそれぞれ、内部軸方向空洞１２９と連通する通路２３５（図１０）を特定するように互いに対して配置され、第２の位置では、通路２３５は、当接表面１２２’、２３２’の間に挿入された外科用糸を切断するように接線方向に交差／横断する当接表面１２２’、２３２’の逆回転運動によって、少なくとも部分的に閉塞している（図９）。
【００４１】
有利には、アクチュエータ要素２３３は、好ましくは切断部分２３０の第２の端部２３０’’で、切断本体２３０に接続される。
【００４２】
図示の実施形態では、アクチュエータ要素２３３は、切断部分２３０の遠位端２３０’’から半径方向の展開において細長い。
【００４３】
外科用ワイヤのための切断装置１００、特にガイド本体１２０は、動作中に装置が保持されることを可能にするための把持領域１２３を有する。
【００４４】
把持領域１２３は、ハウジング部分１２１の中心軸１２０ａに対して角度が付けられ且つハウジング部分１２１に接続されており、切断装置１００の容易な把持を可能にする。軸１２０ａに対する把持領域１２３の好ましい角度は、３０度から１２０度の間、より正確には、約９０度である。前記把持領域１２３の異なる角度は、本発明の範囲から除外されると見なされるべきではない。
【００４５】
前述のように、把持領域１２３は、ガイド本体１２０に接続されている。前記接続は、好ましくは、ハウジング領域１２１の第２の端部１２０’’に設けられた開口部１３０の近くに形成されている。ガイド本体１２０の軸方向の展開に沿ったような、他の位置も可能であり得る。
【００４６】
切断装置１００を使用する場合、把持領域１２３は、患者から遠位である切断装置１００の一部であり、開口部１２４は、第１の端部１２０’で、患者の体の近位位置にある。
【００４７】
ガイド本体１２０は、ガイド本体１２０を切断本体２３０に結合するのに適した結合領域１２５を有する。
【００４８】
この結合領域１２５は、有利には、患者に対して遠位位置に、すなわち、ガイド本体１２０および切断本体２３０のそれぞれ第２の端部１２０’’および２３０’’に、配置されている。
【００４９】
結合領域１２５は、好ましくはハウジング部分１２１の直径よりも大きい円形断面を有するブッシング１３１を備える。このブッシング１３１は、好ましくは、把持領域１２３と切断部分２３０の中央部分２３１との間の接続領域に配置される。
【００５０】
結合領域１２５はまた、切断領域２３０の第２の端部２３０’’に設けられた、前述のブッシング１３１から突出する半径方向の突起２３６を有する。突起２３６は、中央部分２３１の長手方向展開軸２３０ａに対して半径方向である。
【００５１】
結合領域１２５はまた、ガイド本体１２０の第２の端部１２０’’に設けられた半径方向の環状溝の形態の溝１２６を備える。この溝１２６は、相互係合、正確で安定した相対的な軸方向の位置決め、および切断本体２３０とガイド本体１２０との間の相対的な回転を可能にするように、前述の突起２３６を受け入れるように適合されている。
【００５２】
結合領域１２５は、ガイド本体１２０の遠位端を取り囲み、近位開口部１３０を内部に収容する。
【００５３】
さらに、結合領域１２５は、ガイド本体１２０上に、溝１２６を遮断するノッチ１２８を有し、外側からその溝１２６への突起２３６へのアクセスを可能にする。
【００５４】
有利には、ノッチ１２８は、把持領域１２３が始まる位置と正反対の位置に形成されている。
【００５５】
ガイド本体１２０と切断本体２３０との間の結合は、第２の切断領域２３２を第１の切断領域１２２に隣接させるように、中央部分２３１をハウジング部分１２１に挿入し、突起２３６をノッチ１２８に軸方向に位置合わせし、突起２３６をノッチ１２８に挿入することによって、行われる。
【００５６】
このようにしても、突起２３６は、溝１２６と半径方向に位置合わせされる。ガイド本体１２０に対して切断本体２３０を回転させることにより、突起２３６は、溝１２６に挿入されてスライドされ、したがって、切断本体２３０とガイド本体１２０との間の相対的な軸方向の動きを遮断する。
【００５７】
ガイド本体１２０の把持領域１２３に沿って、そして、好ましくはその遠位表面に配置されたロック要素１２７が存在する。代わりに、アクチュエータ要素２３３は空洞２３４を有し、空洞２３４は、その内部に前述のロック要素１２７を受け入れるように適合されている。
【００５８】
このロック要素１２７は、有利には、収容部１４１内に収容され且つそこから突出する球体１４０を有する。収容部１４１の下壁と球体１４０との間に、弾性当接部として、例えばばねとして機能する弾性要素（図示せず）が存在する。
【００５９】
中央部分２３１のハウジング部分１２１への挿入、および長手方向軸２３０ａ周りのガイド本体１２０に対する切断本体２３０の相対回転に続いて、アクチュエータ要素２３３およびハンドグリップ１２３は、初期係合位置から動作位置まで互いに対して相対的に回転し、初期係合位置（図８）では、それらは、長手方向軸２３０ａに対して正反対の方向に位置合わせされおよび方向付けられており、動作位置（図１０）では、それらは、長手方向展開軸２３０ａに対して同じ方向に位置合わせされ、重ね合わされ、方向付けられている。
【００６０】
この最後の動作位置において、ロック要素１２７は、空洞２３４に係合し、ガイド部分１２０および切断部分２３０を第１の位置に強制する。装置が組み立てられたら、外科用糸を切断することができる。
【００６１】
組み立て作業の終わりに、外科用糸の余分な部分が挿入され、これは、第１の端部１２０’に配置された開口部１２４を通してガイド本体１２０の軸方向空洞１２９の内部で除去されなければならない。切断装置は、図１０に示される第１の動作位置にある、すなわち、アクチュエータ要素２３３およびハンドグリップ１２３が、長手方向展開軸２３０ａに対して同じ方向に位置合わせされ、重ね合わされ、方向付けられている。
【００６２】
外科用糸は、通路チャネル３００を完全に通過し、ガイド本体１２０および切断本体２３０のそれぞれの第２の端部１２０’’および２３０’’の開口部１３０から出てくる。
【００６３】
切断装置１００は、所望の切断長さを選択するように、外科用糸に沿って動かされる。
【００６４】
次に、アクチュエータ要素２３３は、ガイド本体１２０に対して切断本体２３０を第１の動作位置（図１０）から第２の動作位置（図８）に移動させるように操作される。
【００６５】
切断本体２３０とガイド本体１２０との間の相対的な動きは、ガイド本体１２０をハンドグリップ１２３によって適切な位置に保持し、アクチュエータ要素２３３をハンドグリップに対して長手方向軸２３０ａの周りで回転させることによって、行われる。
【００６６】
この回転は、切断本体２３０の第２の切断領域２３２の当接表面２３２’に伝達される。この回転は、第１の切断領域１２２の当接表面１２２’と第２の切断領域２３２の当接表面２３２’との間の接線方向の交差を決定し、したがって、はさみのブレードを用いるように糸を切断する。
【００６７】
切断されると、外科用糸は軸方向空洞１２９内に留まり、装置を患者の体から取り外すことができる。
【００６８】
この装置は、患者にとって完全に安全な糸の切断を可能にし、切断要素が患者の軟組織または他の部分に露出して直接接触するのを回避するので、かなりの利点を得ることを可能にする。
【００６９】
外科用糸は装置内に留まり、取り外し動作を容易にし、外科医が手術部位でツール全体をより簡単に取り扱うことを可能にする。
【００７０】
切断装置は非常に使いやすく且つ迅速な切断を可能にする。
【００７１】
先行技術で知られていることとは反対に、本発明は、患者の組織と接触する可動ブレードを有さない。実際、ガイド本体の特定の形状および２つの切断領域の配置のおかげで、患者の組織とブレードとの間の接触の可能性なしに、結び目から突出している糸を切断することが可能である。
【００７２】
さらに、ガイド本体２１および中央部分の特定の形状、並びにそれらの特定の相互作用は、外科医が低侵襲手術の指示に従って必要な切開のサイズを大幅に制限することを可能にし、したがって、患者が迅速に回復すること、および彼／彼女が受ける痛みと不快感を制限することを可能にする。
【００７３】
さらに、ガイド本体の外側部分は、切断動作のためのガイドとして機能するだけでなく、装置の可動部分に対して患者の組織を保護するという利点も持つ。
【００７４】
外科医は、結び目の近くのツールのプリ切断位置決めステップ中の貫通空洞の存在を特に高く評価している。実際、ブレードの視界を制限する体液が存在するという理由で、外科医が触覚の助けを借りて手術部位内のブレードの位置を選択する必要がなくなる。
【００７５】
代わりに、本発明では、患者の体から突出している外科用糸を貫通空洞内で所望の位置にスライドさせることによって、切断すべき外科用糸に切断装置を適合するだけで十分である。最後に、鋭利な部分が露出せず且つ丸い輪郭を持つ２つの本体を単に回転させることによって切断を実行し、患者の体から切断装置を取り出すだけで十分である。
【００７６】
上記から、切断された糸は切断装置内に閉じ込められたままであり、外科医が、従来技術によって要求されるように、切断された糸の端部をしっかりと握る必要性を回避することは明らかである。実際、切断された外科用糸のこれらの端は、患者の体内から除去されることが不可欠である。現在、この作業は、結び目から突き出ている端をしっかりと握りながら、切断が完了すると患者の体からそれらを取り除く外科医またはその助手のうちの１人の責任である。外科用糸は、体液で覆われている可能性があり、体液は外科用糸を滑りやすく且つ一度切断されるとその除去を困難にするので、この作業がいかに煩わしいのかを簡単に理解できる。
【図１】
2021531892.tif 000003
【図２】
2021531892.tif 000004
【図３】
2021531892.tif 000005
【図４】
2021531892.tif 000006
【図５】
2021531892.tif 000007
【図６】
2021531892.tif 000008
【図７】
2021531892.tif 000009
【図８】
2021531892.tif 000010
【図９】
2021531892.tif 000011
【図１０】
2021531892.tif 000012
【国際調査報告】
2021531892.tif 000013
2021531892.tif 000014
2021531892.tif 000015